(57)【要約】      （修正有）【課題】仮設手摺を設けたままパラペットに対する施工作業を行うことができる構造を備える手摺取付金具を提供する。【解決手段】手摺取付金具１は、金具本体と、金具本体に脱着可能に固定される挟持金具とを備え、金具本体は、柱固定部と、パラペット７の外側壁面７１と当接する第１外側当接部２２及び第２外側当接部２３と、パラペットを横断するように配設され、挟持金具を固定するための挟持金具固定部２４とを備え、挟持金具は、挟持金具固定部と脱着可能に嵌合する嵌合部と、嵌合部から下垂する下垂部３２と、下垂部の下端に取り付けられ、第１外側当接部と同じ高さで内側壁面７２と当接する内側当接部３３と、を備え、パラペット上端面と挟持金具固定部、パラペット外側壁面と柱固定部、及びパラペットの内側壁面と下垂部、との間隔がそれぞれ所定以上の長さとすることを特徴とする。【選択図】図５
0003180696.tif 000002
【実用新案登録請求の範囲】
【請求項１】
パラペットを挟持する形で係止され、仮設手摺の柱を立設するための取付金具であって、
前記パラペットの外側に配置される金具本体と、前記金具本体に脱着可能に固定され、前記金具本体との間に前記パラペットを挟持する挟持金具とを備え、
前記金具本体は、前記柱を固定する柱固定部と、前記パラペットの外側壁面と当接する第１外側当接部、及び前記第１外側当接部より下方に設けられる第２外側当接部と、前記パラペットの上端よりも上方に前記パラペットを横断するように配設され、前記挟持金具を固定するための挟持金具固定部と、を備え、
前記挟持金具は、前記挟持金具固定部と脱着可能に嵌合する嵌合部と、前記嵌合部から下垂する下垂部と、前記パラペットの内側壁面に向かって突出するように前記下垂部の下端に取り付けられ、前記第１外側当接部と同じ高さで前記内側壁面と当接する内側当接部と、を備え、
前記内側当接部は、前記突出量を調節でき、
前記パラペットの上端面と前記挟持金具固定部との間隔、前記パラペットの外側壁面と前記柱固定部との間隔、及び前記パラペットの内側壁面と前記下垂部との間隔が、それぞれ所定以上の長さとすることを特徴とする手摺取付金具。
【請求項２】
前記挟持金具固定部は、下面が開口する筒形状であり、その内面が前記嵌合部を前記横断方向に摺動させる摺動溝となる請求項１記載の手摺取付金具。
【請求項３】
前記挟持金具固定部及び前記嵌合部には、前記摺動方向の垂直方向に貫通し、前記摺動方向の固定位置を決定するための１以上の貫通孔を具備し、
前記嵌合部は、前記挟持金具固定部に対して前記貫通孔を共に挿通するピンにより固定される請求項２記載の手摺取付金具。
【請求項４】
前記摺動溝は、前記柱とは反対側の端部が開口し、前記嵌合部を前記開口する端部から挿脱する請求項３記載の手摺取付金具。
【請求項５】
前記挟持金具固定部は、両方の側面の下端から対向するように延出して形成されているガイドを備え、前記ガイドにより前記嵌合部の両側を支え、
前記下垂部は、前記嵌合部の下面から前記ガイドの隙間を通って下垂するように配設される請求項４記載の手摺取付金具。
【請求項６】
前記ピンは、紐を介して前記挟持金具又は前記金具本体に取り付けられている請求項５記載の手摺取付金具。
【請求項７】
前記摺動溝は、前記柱とは反対側の端部が開口し、前記嵌合部を前記開口する端部から挿脱する請求項２記載の手摺取付金具。
【請求項８】
前記挟持金具固定部は、両方の側面の下端から対向するように延出して形成されているガイドを備え、前記ガイドにより前記嵌合部の両側を支え、
前記下垂部は、前記嵌合部の下面から前記ガイドの隙間を通って下垂するように配設される請求項７記載の手摺取付金具。
【考案の詳細な説明】
【技術分野】
【０００１】
本考案は、パラペットを挟持することで固定され、仮設手摺を設けるための柱を立設固定するための手摺取付金具に関する。更に詳しくは、手摺を設けたままパラペットに対する施工作業を行うことができる構造を備える手摺取付金具に関する。
【背景技術】
【０００２】
パラペットが設けられた各種施設の屋上で作業を行う場合、転落防止のための手摺やロープ等による柵を一時的に設けることが行われている。このような柵は、地上から足場を組んで構築したり、パラペットに柱を直接立設したりして組み立てられることが多い。しかし、これらの施工方法は時間が掛かり煩雑であるため、パラペットを両壁面から挟持するように固定する金具を用いて柵を組み立てることが提案されている（例えば、特許文献１及び２を参照。）。
【先行技術文献】
【特許文献】
【０００３】
【特許文献１】実用新案登録第３０８３４９３号公報
【特許文献２】実用新案登録第３０９３０３７号公報
【考案の概要】
【考案が解決しようとする課題】
【０００４】
パラペットに仮設手摺が設けられた各種施設の屋上において、パラペットに対する作業が必要とされる場合がある。例えば、パラペットの上面に設けられた笠木を交換する作業や、パラペットの外側壁面や内側壁面の防水加工等する作業である。
このような作業において、特許文献１に記載された手摺は、笠木の周辺に隙間が設けられているため笠木の交換が可能であるが、手摺本体に横方向の力が加わった場合、パラペットの両側面を手摺本体及び内方脚のそれぞれ１点で支持しているため、いずれかの点が支点となって回動し、挟持位置がずれたり、脱落を生じたりする可能性がある。
また、特許文献２に開示されている手摺取付金具は、パラペットの幅が様々であっても２つの水平部材の重ね合わせを調節することにより金具の幅を調節することができるが、手摺取付金具がパラペットの上部に設けられる笠木に固定されるため、手摺取付金具を外さない限り笠木の交換作業ができず、作業時の転落防止に利用することができない。
【０００５】
本考案は、上記のような問題に鑑み、仮設手摺を設けたままパラペットに対する施工作業を安全に行うことができる手摺取付金具を提供することを目的とする。
【課題を解決するための手段】
【０００６】
本考案は、以下の通りである。
１．パラペットを挟持する形で係止され、仮設手摺の柱を立設するための取付金具であって、前記パラペットの外側に配置される金具本体と、前記金具本体に脱着可能に固定され、前記金具本体との間に前記パラペットを挟持する挟持金具とを備え、前記金具本体は、前記柱を固定する柱固定部と、前記パラペットの外側壁面と当接する第１外側当接部、及び前記第１外側当接部より下方に設けられる第２外側当接部と、前記パラペットの上端よりも上方に前記パラペットを横断するように配設され、前記挟持金具を固定するための挟持金具固定部と、を備え、前記挟持金具は、前記挟持金具固定部と脱着可能に嵌合する嵌合部と、前記嵌合部から下垂する下垂部と、前記パラペットの内側壁面に向かって突出するように前記下垂部の下端に取り付けられ、前記第１外側当接部と同じ高さで前記内側壁面と当接する内側当接部と、を備え、前記内側当接部は、前記突出量を調節でき、前記パラペットの上端面と前記挟持金具固定部との間隔、前記パラペットの外側壁面と前記柱固定部との間隔、及び前記パラペットの内側壁面と前記下垂部との間隔が、それぞれ所定以上の長さとすることを特徴とする手摺取付金具。
２．前記挟持金具固定部は、下面が開口する筒形状であり、その内面が前記嵌合部を前記横断方向に摺動させる摺動溝となる前記１．記載の手摺取付金具。
３．前記挟持金具固定部及び前記嵌合部には、前記摺動方向の垂直方向に貫通し、前記摺動方向の固定位置を決定するための１以上の貫通孔を具備し、前記嵌合部は、前記挟持金具固定部に対して前記貫通孔を共に挿通するピンにより固定される前記２．記載の手摺取付金具。
４．前記摺動溝は、前記柱とは反対側の端部が開口し、前記嵌合部を前記開口する端部から挿脱する前記３．記載の手摺取付金具。
５．前記挟持金具固定部は、両方の側面の下端から対向するように延出して形成されているガイドを備え、前記ガイドにより前記嵌合部の両側を支え、前記下垂部は、前記嵌合部の下面から前記ガイドの隙間を通って下垂するように配設される前記４．記載の手摺取付金具。
６．前記ピンは、紐を介して前記挟持金具又は前記金具本体に取り付けられている前記５．記載の手摺取付金具。
７．前記摺動溝は、前記柱とは反対側の端部が開口し、前記嵌合部を前記開口する端部から挿脱する前記２．記載の手摺取付金具。
８．前記挟持金具固定部は、両方の側面の下端から対向するように延出して形成されているガイドを備え、前記ガイドにより前記嵌合部の両側を支え、前記下垂部は、前記嵌合部の下面から前記ガイドの隙間を通って下垂するように配設される前記７．記載の手摺取付金具。
【考案の効果】
【０００７】
本考案の手摺取付金具によれば、パラペットの外側壁面に第１外側当接部及び第２外側当接部が上下に当接し、パラペットの内側壁面に第１外側当接部と同じ高さで内側当接部が当接するため、手摺取付金具の柱固定部が固定された柱及びその柱に取り付けた手摺に、パラペットの外側に向かう力が加わっても、第１外側当接部より下方に設けられる第２外側当接部により支えられて、第１外側当接部又は内側当接部を支点とする回動を妨げることができ、手摺取付金具の脱落を防止して、作業者等の転落防止に必要な強度を容易に保つことができる。
また、金具本体に脱着可能に固定される挟持金具を備えることで、パラペットに対する施工が必要なときは、金具本体に柱を固定したまま挟持金具を一時的に外すことで、手摺取付金具の挟持を解除することができる。これによって挟持金具によってパラペットに対する施工作業が妨げられることがない。尚、１つの挟持金具を一時的に外している場合でも、隣の手摺取付金具によってパラペットが挟持されており、手摺及びその柱に固定されている金具本体が脱落することがないため、手摺に必要な強度を維持したままパラペットに対する施工を安全に行うことができる。
更に、パラペットの上端面と挟持金具固定部との間隔、パラペットの外側壁面と柱固定部との間隔、及びパラペットの内側壁面と下垂部との間隔が、それぞれパラペットに対する施工作業が可能な所定以上の長さとすることで、パラペットを挟持している状態であっても、笠木等の施工する部材や道具等を通過させることができ、また当接位置以外の部位におけるパラペットの施工を行うことができる。
【０００８】
挟持金具固定部が、下面が開口する筒形状であり、その内面が横断方向に嵌合部を摺動させる摺動溝となる場合は、内側当接部の突出量を調節することによってパラペットの内側壁面に当接させることができない場合であっても、パラペットの幅に応じて挟持金具の位置を嵌合部の摺動によって調節することでパラペットに当接するよう調整を行うことができる。
【０００９】
挟持金具固定部及び嵌合部に、摺動方向の垂直方向に貫通し、摺動方向の固定位置を決定するための１以上の貫通孔を具備し、嵌合部が挟持金具固定部に対して貫通孔を共に挿通するピンにより固定される場合は、挟持金具の固定をピンの挿通により迅速に行うことができる。また、ピンの引き抜きにより挟持金具の固定を迅速に解除した後、挟持金具を外してパラペットに対する施工を行い、施工終了後には、挟持金具を元通りに固定して再びパラペットの挟持を行うことができる。これにより、パラペットに対する施工作業を行う場合に、手摺取付金具の一時的な挟持解除を短時間に行うことができ、施工時間を短縮することができる。
【００１０】
摺動溝は、前記柱とは反対側の端部が開口し、嵌合部を開口する端部から挿脱する場合は、挟持金具を金具本体に脱着する作業を容易にすることができる。
【００１１】
挟持金具固定部が両方の側面の下端から対向するように延出して形成されているガイドを備え、このガイドにより嵌合部の両側を支え、下垂部が嵌合部の下面からガイドの隙間を通って下垂するように配設される場合は、挟持金具固定部を容易に摺動可能な形で金具本体に固定することができる。
【００１２】
ピンが紐を介して挟持金具又は金具本体に取り付けられている場合は、挟持金具を金具本体に固定していないときに、外されているピンを失うことがなく、挟持金具を一時的に脱着してパラペットを施工することが容易となる。
【図面の簡単な説明】
【００１３】
【図１】手摺取付金具を示す斜視図である。
【図２】手摺取付金具を構成する金具本体の正面図である。
【図３】手摺取付金具を構成する金具本体の側面図である。
【図４】手摺取付金具を構成する挟持金具の正面図である。
【図５】手摺取付金具をパラペットに配設した状態を示す模式図である。
【図６】手摺取付金具をパラペットに配設した状態を示す模式図である。
【図７】パラペット施工のために挟持金具を外した状態を示す模式図である。
【考案を実施するための形態】
【００１４】
以下、図１〜７を参照しながら本手摺取付金具を詳しく説明する。
ここで示される事項は例示的なもの及び本考案の実施形態を例示的に説明するためのものであり、本考案の原理と概念的な特徴とを最も有効に且つ難なく理解できる説明であると思われるものを提供する目的で述べたものである。この点で、本考案の根本的な理解のために必要である程度以上に本考案の構造的な詳細を示すことを意図してはおらず、図面と合わせた説明によって本考案の幾つかの形態が実際にどのように具現化されるかを当業者に明らかにするものである。
【００１５】
図１に例示する手摺取付金具１は、図５に例示するように、パラペット７の外側壁面７１、内側壁面７２を挟持して設置される。また、図６に例示するように、複数の手摺取付金具１ａ、１ｂ、１ｃ…が、一定の距離を空けてパラペット７に設置される。そして、それぞれの手摺取付金具１に柱６１を立設・固定し、各柱６１を手摺６２で接続して仮設手摺６を構築することができる。図５及び６に示す手摺６２には、例えば、金属パイプを用いることができるが、これに限られず、ロープ等を張り渡してもよい。
【００１６】
本手摺取付金具１は、図１に示すように、パラペット７の外側に配置される金具本体２と、パラペット７の内側に配置され、金具本体２との間にパラペット７を挟持する挟持金具３とを備える。挟持金具３は、金具本体２に脱着可能に固定される。
金具本体２は、図２及び３に示すように、柱６１を立設状態に固定する柱固定部２１と、パラペット７の外側壁面７１と当接する第１外側当接部２２、及び第１外側当接部２２より下方に設けられる第２外側当接部２３と、柱固定部２１に固定されて水平方向に設けられ、パラペット７の上端よりも上方にパラペット７を横断するように配設される挟持金具固定部２４と、を備える。挟持金具固定部２４は、挟持金具３を金具本体２に脱着可能に固定するために設けられている。
【００１７】
柱固定部２１は、パラペット７への配設時に上下方向に配される筒状体であり、例えば、クランプ６１１等によって仮設手摺６の柱６１を締め付けることによって、柱６１を立設状態で把持する（図５−７参照）。本例において柱固定部２１は角筒であるが、これに限られず円筒等でもよい。また中実の棒状体でもよい。更に、柱６１の固定方法も把持に限られず、例えばネジ止めであってもよいし、筒状体の柱固定部２１内に柱６１を差し込んで固定してもよい。
【００１８】
第１外側当接部２２及び第２外側当接部２３は、一端側が柱固定部２１に固定され、他端側にゴム等の滑り止め部材を設けたパッド２２１、２３１が設けられている。第１外側当接部２２は、パッド２２１が内側当接部３３のパッド３３２と対向するように配設されることによって、パッド２２１とパッド３３２とによりパラペット７の挟持を行うことができる。また、パッド２２１、２３１は、柱固定部２１から所定の長さで延出しており、柱固定部２１からパラペットの外側壁面７１までが所定の間隔となるように設けられている。
【００１９】
挟持金具固定部２４は、下面の中央が長さ方向に開口している摺動溝２４１を備える角筒状体とすることができる。挟持金具固定部２４の一端は、第１外側当接部２２よりも上方の柱固定部２１に固定されている。また、挟持金具３に備えられる嵌合部３１は、その外周面の全部又は一部が摺動溝２４１と接して、挟持金具固定部２４の長さ方向に摺動可能とされる。
また、挟持金具固定部２４は、他端（柱６１とは反対側）が開口している形態とすることができ、この開口端部２４３から嵌合部３１を挿入したり脱離したりすることができる。嵌合部３１は、挟持金具固定部２４の残存する下面により支持される。即ち、図３に示すように、挟持金具固定部２４の長さ方向の両側面下端から対向するように延出して形成されているガイド２４４、２４５を備え、ガイド２４４、２４５により嵌合部３１の下面の両側を摺動可能に支えるようにすることができる。
【００２０】
挟持金具固定部２４は、図１、２及び３に示す角筒状体に限られず、円筒形等であってもよい。また、挟持金具固定部２４による嵌合部３１の支持手段も、摺動溝２４１及び摺動溝２４１内を摺動する嵌合部３１に限られず、例えば、挟持金具固定部２４に孔を設けてその孔に嵌合部３１を挿通させる等の方法により支持してもよい。
【００２１】
一方、挟持金具３は、図４に示すように、挟持金具固定部２４と脱着可能に固定される嵌合部３１と、嵌合部３１から下垂する下垂部３２と、第１外側当接部２２と同じ高さとなる下垂部３２の下端に取り付けられて、パラペット７の内側壁面７２に向かって突出して内側壁面７２と当接する内側当接部３３と、を備える。
【００２２】
嵌合部３１は、挟持金具固定部２４の摺動溝２４１内を摺動させるための筒状体である。また、挟持金具固定部２４の下面に設けられているガイド２４４、２４５間の隙間２４６の幅よりも外寸が大きく、隙間２４６から脱落することなく支持される。このため、嵌合部３１は、その外周面が摺動溝２４１の内周面と摺動可能に接するような筒状体とすることができる。
下垂部３２は、図３に例示するように、嵌合部３１の下面から摺動溝２４１の隙間２４６を通って下方に延出するように配設され、内側当接部３３が第１外側当接部２２と同じ高さとなる長さを備える。
【００２３】
内側当接部３３は、棒状体３３１と、棒状体３３１の内側壁面７２側の先端に設けられるパッド３３２を備える。棒状体３３１は、ネジ等により、内側壁面７２に向かってパッド３３２の突出量を調節することができる。パッド３３２は、外側当接部２２、２３のパッド２２１、２３１と同様にゴム等の滑り止め部材を備える。
内側当接部３３は、棒状体３３１によりパッド３３２を内側壁面７２側へ突出させて内側壁面７２に当接させて、パラペット７の挟持を行うことができる。
【００２４】
挟持金具固定部２４及び嵌合部３１には、それぞれ摺動溝２４１による摺動方向に対して垂直方向となる側面に、ピン４１を挿通するための１以上の挿通孔２４２、３１２を設けておくことができる。挟持金具固定部２４及び嵌合部３１は、両者をピン４１で挿通することにより、対応する挿通孔の位置で固定することができる。また、挟持金具固定部２４には、摺動溝２４１に沿って等間隔に複数の挿通孔２４２を設け、適宜嵌合部３１の挿通孔３１２と共に挿通させる挿通孔２４２を選択することにより、パラペット７の幅に応じて、内側当接部３３の位置を大まかに設定することができ、その後棒状体３３１により内側当接部３３の突出量を微調整するようにすることができる。また、一旦適切な突出量に調節した後は、パラペット７の施工時にピン４１を抜いて挟持金具３を挟持金具固定部２４から取り外しても、施工終了後に同じ位置の挿通孔２４２、３１２にピン４１を挿通することにより、パラペット７の挟持状態を容易に復元することができる。
【００２５】
挿通孔２４２、３１２に挿通するピン４１は、紐４２により、挟持金具３の下垂部３２に結ばれており、挿通孔２４２、３１２から取り外したときに紛失しないようにすることができる。紐４２は、鎖等であってもよい。また、紐４２を固定する場所は下垂部３２に限られず、挟持金具３の任意の場所とすることができる。また、手摺取付金具１の任意の場所に固定することもできる。
【００２６】
手摺取付金具１をパラペット７に取着したとき、図５に示すように、パラペット７の笠木８を含めた上端面７３と挟持金具固定部２４との間隔Ｓ１、パラペット７の外側壁面７１と柱固定部２１との間隔Ｓ２、及びパラペット７の内側壁面７２と下垂部３２との間隔Ｓ３は、それぞれ所定以上の長さとされる。各間隔Ｓ１〜Ｓ３は、笠木８等の取り外しや取り付けが容易にできる長さ、施工する部材や道具等を容易に通過させることができる長さ等とされればよく、例えば、間隔Ｓ１〜Ｓ３をそれぞれ４０ｍｍ以上とすることができる。この各間隔Ｓ１〜Ｓ３は、挟持金具３を取り外して挟持状態を解除しなくてもパラペット７に対する施工作業を可能とする長さであればよく、全て同じ長さであってもよいし、それぞれ異なる長さであってもよい。例えば、間隔Ｓ１を４０〜８０ｍｍの一定値とし、間隔Ｓ２を７０〜１５０ｍｍの一定値とし、間隔Ｓ３を７０〜２００ｍｍとすることができる。尚、間隔Ｓ３は、内側当接部３３の突出量の調整により変化する。
また、パラペット７の上端面７３と挟持金具固定部２４との間隔Ｓ１は、笠木８等が設けられている場合は、笠木８等の上端から挟持金具固定部２４までの間隔とすることができる。
【００２７】
このような手摺取付金具１は、手摺取付金具１に取り付けた柱６１や、柱６１に取り付けた手摺６２に、パラペット７の外側に向かう力が加わり、第１外側当接部２２又は内側当接部３３を支点として手摺取付金具１が回動しようとしても、第１外側当接部２２より下方に設けられる第２外側当接部２３が外側壁面に押さえつけられて、支えることになるため回動を妨げることができ、パラペット７の挟持が外れて手摺６２が脱落したりすることがなく、脱落を防止することができる。
また、パラペット７に対する施工、例えば笠木８の交換や内側壁面７２、上端面７３の表面処理等が必要なときは、図７に示すように金具本体２の柱固定部２１に柱６１を固定しつつ、ピン４１を挿通孔２４２、３１２から外して、嵌合部３１を摺動させて開口端部２４３から挟持金具３を脱離することで、手摺取付金具１の挟持を解除することができる。このとき、図７に示す手摺取付金具１ｂの挟持金具３を一時的に外した場合でも、隣の手摺取付金具１ａ、１ｃ（図６を参照。）によってパラペット７が挟持されているため、手摺６２及び挟持金具３を外した手摺取付金具１ｂの金具本体２が脱落することが防止され、手摺６２を維持したままパラペット７の施工を安全に行うことができる。
【００２８】
尚、本発明においては、前記実施例に示すものに限られず、目的、用途に応じて本考案の範囲内で種々変更した態様とすることができる。例えば、挟持金具固定部２４には、パラペット７の上端面７３との間隔Ｓ１を調整するための間隔調整具を設けることができる。この間隔調整具を設けた状態で、手摺取付金具の取り付け作業を行い、その後間隔調整具を外すことで、手摺取付金具１の高さを容易に一定にすることができ、手摺が上下に波打って転落防止の性能に影響が出ないようにすることができる。また、間隔を一定にして作業性を確保することができる。
【符号の説明】
【００２９】
１；手摺取付金具、２；金具本体、２１；柱固定部、２２；第１外側当接部、２３；第２外側当接部、２４；挟持金具固定部、２４１；摺動溝、２４２、３１２；貫通孔、２４３；開口端部、２４４、２４５；ガイド、
３；挟持金具、３１；嵌合部、３２；下垂部、３３；内側当接部、
４１；ピン、４２；紐、
６；仮設手摺、６１；柱、６２；手摺、７；パラペット、７１；外側壁面、７２；内側壁面、７３；上端面、８；笠木。
【図１】
0003180696.tif 000003
【図２】
0003180696.tif 000004
【図３】
0003180696.tif 000005
【図４】
0003180696.tif 000006
【図５】
0003180696.tif 000007
【図６】
0003180696.tif 000008
【図７】
0003180696.tif 000009